(57)【要約】【課題】少ない部品点数，組立工数で外扉の前面に構築できるよう組立構造を改良した自動販売機のポスター表示装置を提供する。【解決手段】方形状の透明パネル１３を包囲してその周縁を上，下，左，右の四辺に分割し上枠９，下枠１０，右枠１１，左枠１２からなるパネル枠で保持し、かつ各辺のパネル枠を外扉２の前面に外付けして構築した自動販売機のポスター表示装置において、前記した各辺のパネル枠の裏面に掛止爪（フック）を設けるとともに、該掛止爪に対向して外扉の板面には掛止穴１４〜１７を形成し、組木細工と同じ要領で各辺のパネル枠を互いに拘束し合うよう所定の順序で外扉に組み付けた上で、最後に組み付けたパネル枠を外扉の裏面側からビス止めして各辺のパネル枠を全て組立位置に固定する。これにより、ポスターの差し替え時には、僅かに１本のビスを外してパネル枠を掛止位置からずらすだけで、任意のパネル枠を外してポスターの差し替えが簡単に行える。【選択図】図１
2008009679.tif 000002
【特許請求の範囲】
【請求項１】
外扉の前面に外付けした自動販売機のポスター表示装置であり、方形状の透明パネルの周縁を上，下，左，右の四辺に分割したパネル枠で保持し、かつ各辺のパネル枠を外扉の板面に固定して組立てたものにおいて、
前記各辺のパネル枠の裏面に掛止爪を設けるとともに、該掛止爪に対向して外扉の板面には掛止穴を形成し、各辺のパネル枠を組立位置で互いに拘束し合うよう順序立てて外扉に組み付けた上で、最後に組み付けたパネル枠をその掛止位置で外扉にビス止めしたことを特徴とする自動販売機のポスター表示装置。
【請求項２】
請求項１に記載のポスター表示装置において、パネル枠の掛止爪が該枠の長手方向に沿ったＬ形突起であり、この掛止爪に対向して扉板面に開口した掛止穴は、最後に組み付けるパネル枠を除く残り三辺のパネル枠に対応する掛止穴が角穴、最終順序のパネル枠に対応する掛止穴がＬ字形状の異形穴であることを特徴とする自動販売機のポスター表示装置。
【請求項３】
請求項１または２に記載のポスター表示装置において、上，下，左，右四辺のパネル枠のうち、対峙する２辺のパネル枠両端部に残り二辺のパネル枠端部が嵌入する係合段部を形成したことを特徴とする自動販売機のポスター表示装置。
【発明の詳細な説明】
【技術分野】
【０００１】
本発明は、自動販売機の外扉前面に外付けして組立てたポスター表示装置に関する。
【背景技術】
【０００２】
周知のように、多くの自動販売機では外扉には商品見本を展示するディスプレイ室（電照室），商品取出口，コイン機構などを配した操作パネルの他に、広告ポスターの表示装置を備えている。
このポスター表示装置について、在来の自動販売機では、ディスプレイ室と同様に外扉に板面に窓穴を開口してその内側にポスター表示装置を構築し、ポスターの差し替えを外扉の裏面側から行うようにしているのが一般的である（例えば、特許文献１参照）。
一方、外扉の裏面側には電装品などの各種部品が装備されていてポスター表示装置を構築する広いスペースを確保することが困難となっている。そこで、最近の自動販売機ではポスター表示装置を外扉の前面側に構築し、ポスターの差し替え作業を外扉の前面側から行うように構成のものが採用されるようになっている。
【０００３】
この場合に、従来におけるポスター表示装置は、ポスターの紙面に重ね合わせた透明パネルの周縁を上，下，左，右の四辺に分割したパネル枠（樹脂成形品）で保持し、かつ各辺のパネル枠を個々に外扉の前面に配置した上で、扉板の裏面側から各辺のパネル枠をビス止めして組み立て、ポスターの差し替え時には周囲四辺のパネル枠のうち、一辺のパネル枠を外扉から取り外してポスターの差し替えを行うようにしている。
【特許文献１】特開平１１−２５３３８号公報
【発明の開示】
【発明が解決しようとする課題】
【０００４】
ところで、前記のように上，下，左，右に分割した各辺のパネル枠を、外扉に対して個々にビス止めした従来の組立構造では使用するビスの本数が多くなる。そのために部品点数，組立工数が増してコスト高となるほか、自動販売機の設置先で行うポスター差し替え時には、前記パネル枠の取り外し，再組立の作業に手間が掛かることから、その改善策が要望されている。
本発明は上記の点に鑑みなされたものであり、その目的は前記課題を解決し、少ない部品点数，組立工数で外扉の前面に構築できるよう組立構造を改良した自動販売機のポスター表示装置を提供することにある。
【課題を解決するための手段】
【０００５】
上記目的を達成するために、本発明によれば、外扉の前面に外付けした自動販売機のポスター表示装置で、方形状の透明パネル（ポスターの前面カバー）を包囲してその周縁を上，下，左，右の四辺に分割したパネル枠で保持し、かつ各辺のパネル枠を外扉の板面に固定して組立てたものにおいて、
前記各辺のパネル枠の裏面に掛止爪（フック）を設けるとともに、該掛止爪に対向して外扉の板面には掛止穴を形成し、各辺のパネル枠を組立位置で互いに拘束し合うよう順序立てて外扉に組み付けた上で、最後に組み付けたパネル枠をその掛止位置で外扉にビス止めするようにし（請求項１）、具体的には次記のような態様で構成するものとする。
（１）前記パネル枠の掛止爪を該枠の長手方向に沿ったＬ形突起とし、この掛止爪に対向して扉板面に開口した掛止穴は、最後に組み付けるパネル枠を除く残り三辺のパネル枠に対応する掛止穴を角穴、最終順序のパネル枠に対応する掛止穴をＬ字形状の異形穴として形成し、組立の際に各辺のパネル枠の掛止爪を前記角穴，異形穴に嵌挿した上で、そのパネル枠をスライドして掛止爪を扉板に掛止する（請求項２）。
（２）前記した上，下，左，右四辺のパネル枠のうち、対峙する２辺のパネル枠両端部には、残り二辺のパネル枠端部が嵌入する係合段部を形成し、組立位置でパネル枠を互いに掛止位置に拘束させる（請求項３）。
【発明の効果】
【０００６】
上記の構成により、外扉の前面にポスター表示装置を構築する組立工程で、パネル枠の掛止爪を外扉の板面に形成した掛止穴に嵌め込み，スライドすることにより、組木細工と同様な組立要領で各辺のパネル枠を組立位置に拘束し、最後に組み付けたパネル枠を１本のビスで外扉に締結するだけで各辺のパネル枠を全て所定の組立位置に固定することができる。
また、自動販売機の設置先で行うポスターの差し替え時には、１本のビスで固定していたパネル枠のビスを外して外扉に開口した異形穴に沿ってずらすことにより、組立時と逆な順序で次のパネル枠を外扉から簡単に外してポスターを差し替えることができる。
【発明を実施するための最良の形態】
【０００７】
以下、本発明の実施の形態を図１〜図７に示す実施例に基づいて説明する。まず、図７に本発明のポスター表示装置を外扉の前面に構築した自動販売機の全体構造を示す。図において、１は自動販売機のキャビネット、２は外扉、３はディスプレイ室、４は商品取出口、５はビルバリデータ、６はコインメカニズム、７は扉ロック、８が外扉２の前面に外付けして構築したポスター表示装置である。
次に、前記ポスター表示装置８の詳細構造を図１，図２で説明する。すなわち、ポスター表示装置８は、樹脂成形品で作られた上枠９，下枠１０，右枠１１，左枠１２からなる周囲四辺のパネル枠と、このパネル枠で保持する透明パネル（透明樹脂板）１３との組立体からなる。なお、各辺のパネル枠の内周面には透明パネル１３を周縁を嵌入するガイド溝が形成されている。
【０００８】
ここで、上枠９，下枠１０，右枠１１，左枠１２について、図示例では右枠１１と左枠１２の上下端部に、上枠９と下枠１０の左右両端を嵌め込んで各辺のパネル枠を額縁状に組立てる係合段部１１ａ，１２ａが切欠き形成されている。また、図２で示すように、各辺のパネル枠の裏面には、両端および中央の３箇所に分けて掛止爪（フック）９ａ，１０ａ，１１ｂ，１２ｂが一体形成されており、この掛止爪は枠の長手方向に沿って突出したＬ形突起になる。なお、右枠１１と左枠１２は同じ部材で、左枠１２は右枠１１の向きを反転して使用しており、右枠１１の掛止爪１１ｂは下向き，左枠１２の掛止爪１２ｂは上向きである。また、左枠１２には後記のようにパネル枠を外扉にビス止めするビス穴１２ｃが形成されている。
一方、前記した上枠９，下枠１０，右枠１１，左枠１２に設けた掛止爪９ａ，１０ａ，１１ｂ，１２ｂに対向して、外扉２の板面には前記掛止爪を前方から差し込むように掛止穴１４，１５，１６，１７が開口している。ここで、枠９，下枠１０，右枠１１の三辺のパネル枠に対応する掛止穴１４，１５，１６はいずれも角穴であるのに対して、左枠１２に対応する掛止穴１７だけが逆Ｌ字形状の異形穴である。さらに、左枠１２のビス穴１２ｃに対応して外扉２の板面にはビスの通し穴１８が穿孔されている。
【０００９】
次に、前記ポスター表示装置８の組立手順を図３〜図５で説明する。まず、上枠９，下枠１０，右枠１１，左枠１２を外扉２に組み付ける順序について、最初に右枠１１、次に上枠９と下枠１０、最後に左枠１２を組み付けるように順位を決めておく。
そして、右枠１１は図３（ａ）で示すように、外扉２の前方から掛止爪１１ｂを扉板面に開口した掛止穴（角穴）１６に挿入し（手順Ｉ）、続いて下向きにスライド（手順II）して図３（ｂ）のように外扉２に掛止する。
次に、上枠９の掛止爪９ａを図４（ａ）で示すように前方から掛止穴１４に挿入し（手順Ｉ）、続いて右方向（扉の裏面側から見た図３（ａ）では左方向）にスライド（手順II）して先に定位置に組み付けた右枠１１の上端部に押しつける。これにより、上枠９は図４（ｂ）のように外扉２に掛止されると同時に、その右側端部が右枠１１の上端に形成した係合段部１１ａに嵌まり込む。また、これと同様な手順で下枠１０を外扉に組み付けて掛止する。この組立段階では、組木細工と同様な要領で右枠１１が上枠９と下枠１０に押え込まれて所定の組立位置から上下方向に動かないよう拘束される。なお、この組立て段階で広告ポスターの前面カバーとなる透明パネル１３を左側方から挿入し、上枠９と下枠１０と右枠１１の内周面に形成したガイド溝に嵌入して取付ける。
【００１０】
次に、図５（ａ）で示すように、残る左枠１２の掛止爪１２ｂを前方から外扉２の掛穴（Ｌ字形状の異形穴）１７に挿入し（手順Ｉ）し、続いて上方にスライド（手順II）して掛止穴１７の上端まで引き上げた後、扉前方から見て右方向（図５（ａ）では左方向）にスライド（手順III）してその上下端を先に組み付けた上枠９と下枠１０の端部に押し当てる。これにより、左枠１２は図５（ｂ）のように外扉２に掛止される同時に、上枠９と下枠１０の左端部が左枠１２の上下端部に形成した係合段部１２ａに嵌まり込んでこの位置に拘束されることになる。そして、最後に外扉２の裏面側からビス１９を穴１８に通して左枠１２のビス穴１２ｃに螺合し、左枠１２を組立位置に固定してポスター表示装置８の組立てが完了する。なお、この組立状態の正面図を図６（ａ）に示す。
次に、前記のポスター表示装置８でポスター（図示せず）を差し替える際の作業手順について説明する。このポスター差し替え作業では、図６（ａ）に示した組立状態で、まず外扉２の裏面側からビス１９を緩めて外す。次に、外扉２の前面側から図６（ｂ）のように左枠１２を左方向にスライド（手順Ｉ）して上枠９，下枠１０の端部から側方にずらす。この状態になると、上枠９，下枠１０は左枠１２による拘束から釈放されて左方向へのスライド変位が可能となる。そこで、上枠９を左側にスライド（手順II）した上で、その掛止爪９ａを外扉２の掛止穴１４から引き抜く。これにより、上枠９を外扉２から取り外し（手順III）、この状態で上方からポスターを差し替えことができる。また、ポスターを差し替えた後は、先記した組立手順と同じ要領で上枠９を組み付けた上で、左枠１２を元の組立位置に戻し、最後に外扉２の裏面側からビス１９を左枠１２のビス穴１２ｃに螺合して組立位置に固定する。なお、このポスター差し替え作業で、左枠１２を側方スライドして後退位置にするために、図５（ａ）に示した異形の掛止穴１７のうち、例えば最上位の掛止穴をＴ字形に形成して側方にずらした掛止爪１２ｂを後退位置に支えるようにしてもよい。
【００１１】
以上の説明から判るように、各辺のパネル枠を組木細工と同じ要領で所定の順序にしたがって外扉に組み付け、最後に組み付けたパネル枠を１本のビスで固定するだけで、周囲四辺のパネル枠を全て組立位置に拘束して固定することができる。これにより、従来のように各辺のパネル枠を外扉へ個々にビス止めして固定した従来の組立構造と比べて、使用するビスの本数，ビス止め工数を大幅に削減できるほか、ポスター表示装置８の組立，ポスターの差し替え作業が簡単に行える。
なお、図示例では左枠１２の組み付け順序を最終として、その掛止位置でビス止めするようにしているが、これに限定されるものではなく、例えば、左右のパネル枠を入れ替え、さらに上下のパネル枠に設けた掛止爪の向きを逆向きに設定した上で、パネル枠の組立順序を変更して実施することも可能である。
【図面の簡単な説明】
【００１２】
【図１】本発明の実施例に係わるポスター表示装置の正面側から見た分解斜視図
【図２】図１におけるポスター表示装置を裏面側から見た分解斜視図
【図３】図１におけるパネル枠の右枠を外扉に組み付け手順の説明図で、（ａ），（ｂ）はそれぞれ外扉の裏面側から見た掛止前，および掛止後の状態を表す斜視図
【図４】図１におけるパネル枠の上枠を外扉に組み付け手順の説明図で、（ａ），（ｂ）はそれぞれ外扉の裏面側から見た掛止前，および掛止後の状態を表す斜視図
【図５】図１におけるパネル枠の左枠を外扉に組み付け手順の説明図で、（ａ），（ｂ）はそれぞれ外扉の裏面側から見た掛止前，および掛止後の状態を表す斜視図
【図６】ポスター差し替え時の手順説明図で、（ａ）はポスター表示装置の組立状態の正面図、（ｂ）は上枠を取り外すために一部のパネル枠を側方にずらした状態を表す正面図
【図７】図1のポスター表示装置を装備した自動販売機の正面図
【符号の説明】
【００１３】
２    外扉
８    ポスター表示装置
９    パネル枠の上枠
１０    下枠
１０ａ  掛止爪
１１    右枠
１２    左枠
９ａ，１０ａ，１１ｂ，１２ｂ  掛止爪
１１ａ，１２ａ  係合段部
１２ｃ  ビス穴
１３    透明パネル
１４，１５，１６  掛止穴（角穴）
１７    掛止穴（異形穴）
１８    ビス通し穴
１９    ビス
【図１】
2008009679.tif 000003
【図２】
2008009679.tif 000004
【図３】
2008009679.tif 000005
【図４】
2008009679.tif 000006
【図５】
2008009679.tif 000007
【図６】
2008009679.tif 000008
【図７】
2008009679.tif 000009